(57)【特許請求の範囲】
【請求項１】
広告主の設定した入札額に基づいて当該広告主の入稿した広告コンテンツを配信する広告情報提供装置における、広告コンテンツの配信を制限する、入札額の下限を定める最低配信価格を設定する広告課金額適正化装置であって、
複数の広告主により入稿されたターゲティング機能を利用した入札情報とターゲティング機能を利用しない入札情報とに基づいて、ターゲティング要素毎に前記最低配信価格を算出する最低配信価格算出手段
を備えたことを特徴とする広告課金額適正化装置。
【請求項２】
請求項１に記載の広告課金額適正化装置において、
前記最低配信価格算出手段は、
ターゲティング機能を利用しない入札情報による入札額に対する入札数の分布の最頻値から基礎価格を算出する手段と、
所定のターゲティング要素について、複数の広告主および配信面の入札情報に基づき、ターゲティング機能を利用しない場合の入札額に対するターゲティング機能を利用した場合の入札額の倍率を示す最低配信価格指標を算出する手段と、
基礎価格に最低配信価格指標を乗算して最低配信価格を算出する手段と
を備えたことを特徴とする広告課金額適正化装置。
【請求項３】
請求項２に記載の広告課金額適正化装置において、
前記最低配信価格指標を算出する手段は、ターゲティング機能を利用しない場合の入札額とターゲティング機能を利用した場合の入札額とを、それぞれの課金額で正規化して最低配信価格指標を算出する
ことを特徴とする広告課金額適正化装置。
【請求項４】
請求項１に記載の広告課金額適正化装置において、
前記最低配信価格算出手段は、
ターゲティング機能を利用しない入札情報による入札額に対する入札数の分布の最頻値から基礎価格を算出する手段と、
所定のターゲティング要素についてターゲティング機能を利用した入札情報による入札額に対する入札数の分布の最頻値から基礎価格を減算することで付加価格を算出する手段と、
基礎価格に付加価格を加算して最低配信価格を算出する手段と
を備えたことを特徴とする広告課金額適正化装置。
【請求項５】
請求項２乃至４のいずれか一項に記載の広告課金額適正化装置において、
前記最低配信価格算出手段は、
複数のターゲティング機能が組み合わされた場合に、組み合わせを構成する個々のターゲティング要素に対応する共通の基礎価格に、ターゲティング要素の最低配信価格と基礎価格との差である付加価格を積算することで複数のターゲティング機能が組み合わされた場合の最低配信価格を算出する
ことを特徴とする広告課金額適正化装置。
【請求項６】
広告主の設定した入札額に基づいて当該広告主の入稿した広告コンテンツを配信する広告情報提供装置における、広告コンテンツの配信を制限する、入札額の下限を定める最低配信価格を設定する広告課金額適正化方法であって、
複数の広告主により入稿されたターゲティング機能を利用した入札情報とターゲティング機能を利用しない入札情報とに基づいて、ターゲティング要素毎に前記最低配信価格を算出する最低配信価格算出工程
を備えたことを特徴とする広告課金額適正化方法。
【発明の詳細な説明】
【技術分野】
【０００１】
本発明は、インターネット等のネットワークを介して広告情報を配信する技術に関する。
【背景技術】
【０００２】
広告情報の提供にあっては、ユーザの入力した検索キーワードにマッチする広告コンテンツを提供するタイプ（検索連動型広告）や、表示されるページの内容にマッチする広告コンテンツを提供するタイプ（コンテンツ連動型広告）等の種々の配信タイプが存在する。
【０００３】
また、これらのタイプと併用もしくは単独に、特定の属性を有するユーザにのみ広告コンテンツの提供を限定するターゲティング機能というものが存在する（例えば、特許文献１を参照。）。例えば、女性のユーザのみに配信したり、所定の年齢層のユーザにのみ配信したり、それらを併用したりといったことが可能である。
【０００４】
一方、広告コンテンツを表示する配信面（広告枠）は限られたものであるのに対し、広告主により表示の希望がなされる広告コンテンツは複数（多数）であるため、競合する場合には予め広告主によって設定された入札額に基づいて、配信する広告コンテンツをオークション形式で決定するようになっている。
【先行技術文献】
【特許文献】
【０００５】
【特許文献１】特開２０１１−２２６７５号公報
【発明の概要】
【発明が解決しようとする課題】
【０００６】
上述したように、この種の広告情報提供システムでは入札額に基づいて広告コンテンツを決定するようになっており、通常は適正な入札額が設定され、他の条件が同等であればターゲティングを行わない場合（ノンターゲティング）に比べてターゲティングを行う場合（ターゲティング）の入札額は高くなる。
【０００７】
しかし、入札額はあくまでも広告主が自由に設定できるものであるため、適正な相場をかなり下回った入札額が設定される広告コンテンツも存在する。
【０００８】
このような場合、通常はより高い適正な入札額が設定された広告コンテンツが配信され、入札額が低い広告コンテンツが配信されることはない。
【０００９】
しかし、適正な入札額で入札している広告コンテンツの予算が尽きるなどの要因により、本来の相場からはターゲティング機能利用としてはかなり低い入札額の広告コンテンツも運よく配信されてしまうことがある。
【００１０】
このような状況は適正に入稿してくる広告主にとっては歓迎すべきことではなく、このような状況が続くと、長期的にみてネット広告サービスの発展を阻害する要因となるおそれがある。
【００１１】
本発明は上記の従来の問題点に鑑み提案されたものであり、その目的とするところは、ターゲティング機能利用の価値を適切に評価し、全体的な入札価格傾向から逸脱した入札額の広告コンテンツの配信を制限し、課金額を適正化することにある。
【課題を解決するための手段】
【００１２】
上記の課題を解決するため、本発明にあっては、広告主の設定した入札額に基づいて当該広告主の入稿した広告コンテンツを配信する広告情報提供装置における、広告コンテンツの配信を制限する、入札額の下限を定める最低配信価格を設定する広告課金額適正化装置であって、複数の広告主により入稿されたターゲティング機能を利用した入札情報とターゲティング機能を利用しない入札情報とに基づいて、ターゲティング要素毎に前記最低配信価格を算出する最低配信価格算出手段を備えるようにしている。
【発明の効果】
【００１３】
本発明にあっては、ターゲティング機能利用の価値を適切に評価し、全体的な入札価格傾向から逸脱した入札額の広告コンテンツの配信を制限し、課金額を適正化することができる。
【図面の簡単な説明】
【００１４】
【図１】本発明の一実施形態にかかるシステムの構成例を示す図である。
【図２】広告ＤＢのデータ構造例を示す図である。
【図３】ＭＭＲテーブルのデータ構造例を示す図である。
【図４】ユーザＤＢのデータ構造例を示す図である。
【図５】実施形態の処理例を示すシーケンス図である。
【図６】ＭＭＲテーブル生成の処理例を示すフローチャートである。
【図７】入札額の分布の例を示す図である。
【図８】組み合わせＭＭＲ算出の処理例を示すフローチャートである。
【図９】組み合わせＭＭＲ算出の例を示す図である。
【発明を実施するための形態】
【００１５】
以下、本発明の好適な実施形態につき説明する。
【００１６】
＜構成＞
図１は本発明の一実施形態にかかるシステムの構成例を示す図である。
【００１７】
図１において、インターネット等のネットワーク１には、広告主や一般ユーザが操作するスマートフォン、携帯電話、ＰＣ（Personal Computer）等の端末装置２、３が複数接続されている。端末装置２、３は、一般的なブラウザ（Ｗｅｂブラウザ）２１、３１を備えている。ブラウザ２１、３１は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００１８】
また、ネットワーク１には広告主の操作する端末装置２からの要求に応じて広告の入稿を受け付けるとともに、一般ユーザの操作する端末装置３からの要求に応じてページ情報および広告情報を提供するページ情報／広告情報提供装置４が接続されている。
【００１９】
ページ情報／広告情報提供装置４は、機能部として、広告入稿受付部４０１とＭＭＲ（Minimum Market Reserve）テーブル生成部４０２とページ要求受付部４０３とページ情報生成部４０４と広告コンテンツ決定部４０５と広告リンク埋込部４０６とページ送信部４０７と広告要求受付部４０８と広告送信部４０９とを備えている。
【００２０】
これらの機能部は、ページ情報／広告情報提供装置４を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００２１】
また、ページ情報／広告情報提供装置４が利用するデータベース等として、広告ＤＢ（Database）４２１とＭＭＲテーブル４２２とユーザＤＢ４２３とが設けられている。これらのデータベース等は、ページ情報／広告情報提供装置４を構成するコンピュータ内のＨＤＤ（Hard Disk Drive）等の記憶媒体上に所定のデータを体系的に保持するものである。なお、広告ＤＢ４２１やＭＭＲテーブル４２２やユーザＤＢ４２３は、ページ情報／広告情報提供装置４内に配置される必要はなく、他の装置上に配置してもよい。
【００２２】
図２は広告ＤＢ４２１のデータ構造例を示す図であり、「受付日時」「広告ＩＤ」「広告主ＩＤ（account_id）」「配信面ＩＤ（source_id）」「入札額（bid）」「予算額」「課金額（revenue）」「課金額累計」「最低配信価格（MMR）」「配信タイプ」「ターゲティング設定内容」「コンテンツデータ」等の項目（フィールド）を含んでいる。
【００２３】
「受付日時」は、入稿を受け付けた日時を示す情報である。「広告ＩＤ」は、広告コンテンツを特定する情報である。「広告主ＩＤ（account_id）」は、広告主を特定する情報である。「配信面ＩＤ（source_id）」は、広告コンテンツが表示される広告枠を含むページを特定する情報である。
【００２４】
「入札額（bid）」は、当該広告コンテンツの配信に対して広告主がその金額までであれば支払ってもよいとして設定する金額（クリック型課金であれば１回のクリックに対する金額）である。「予算額」は、課金額の累積の上限として広告主が設定する金額である。課金額の累積が予算額に達した場合、当該広告コンテンツは配信の対象から除外される。「課金額（revenue）」は、広告コンテンツを配信する必要が生じた時点で、条件が競合する複数の広告コンテンツの中からオークションにより広告コンテンツを決定する際に、セカンドプライスオークション（最高の入札額に対して落札されるが、落札額（課金額）は２番目に高い入札額とする方式）等により決定されて設定される金額である。「課金額累計」は、課金額の累計値である。「最低配信価格（MMR）」は、複数のターゲティング要素を設定した場合の最低配信価格（組み合わせＭＭＲ）を広告データに対応付けて保持する場合の項目である。
【００２５】
「配信タイプ」は、広告主が設定する、当該広告コンテンツの決定される方式を示す情報であり、例えば、検索連動型広告（キーワードマッチ）、コンテンツ連動型広告（アドマッチ）等が含まれる。「ターゲティング設定内容」は、広告主が設定する、ターゲティング機能を利用する場合のターゲティング要素を示す情報である。ターゲティング要素としては、「男性」「女性」といった性別や１２歳〜１４歳といった年齢層が含まれる。「コンテンツデータ」は、当該広告コンテンツのデータ本体もしくはデータ本体の保存場所へのリンク情報である。
【００２６】
図３はＭＭＲテーブル４２２のデータ構造例を示す図であり、「配信タイプ(deliver_type)」「ターゲティング要素(gen_targeting)」「最低配信価格指標(MMR index)」「基礎価格(floor price)」「付加価格(additional)」「最低配信価格(MMR)」等の項目を含んでいる。
【００２７】
「配信タイプ(deliver_type)」は、広告コンテンツの決定される方式を示す情報であり、例えば、「kw_match」（キーワードマッチ）、「ad_match」（アドマッチ）等が含まれる。「targeting」は、キーワードマッチやアドマッチは行われず、ターゲティング機能の利用のみが行われることを示している。「ターゲティング要素(gen_targeting)」は、ターゲティング機能により絞り込まれるユーザの属性等であり、「male」（男性）、「female」（女性）、「RANGE12_14」（年齢が１２歳〜１４歳）等が含まれる。
【００２８】
「最低配信価格指標(MMR index)」は、最低配信価格(MMR)を決定する指標であり、ターゲティング要素毎に、ターゲティングを行った場合とターゲティングを行わなかった場合の入札額の分布の傾向から算出されるものである。「基礎価格(floor price)」は、配信タイプ(deliver_type)毎にターゲティング機能による価格分を含まない基礎となる価格を示すものであり、ターゲティングを行わなかった場合の入札額の分布の傾向から算出されるものである。「付加価格(additional)」は、配信タイプ(deliver_type)毎に所定のターゲティング要素による付加的な価格を示すものである。「最低配信価格(MMR)」は、広告コンテンツの配信を行わない入札額の下限を定めるものである。これらの算出の詳細については後述する。
【００２９】
図４はユーザＤＢ４２３のデータ構造例を示す図であり、「ユーザＩＤ」「属性データ」等の項目を含んでいる。「ユーザＩＤ」は、ユーザを特定する情報であり、ユーザを詳細に特定できる会員ＩＤのほか、同じブラウザからのアクセスであることを特定できるbcookie（初回のアクセス時にブラウザのクッキー情報として書き込み、以後のアクセス時に参照）等を含む。「属性データ」は、当該ユーザの性別、年齢層、嗜好等を示す情報である。
【００３０】
図１に戻り、ページ情報／広告情報提供装置４の広告入稿受付部４０１は、広告主の操作する端末装置２のブラウザ２１からの要求に応じて広告の入稿を受け付け、広告ＤＢ４２１（図２）に所定の項目を登録する機能を有している。
【００３１】
ＭＭＲテーブル生成部４０２は、定期的もしくはオペレータの指示に従って動作するものであり、広告ＤＢ４２１から入札に関するデータを参照し、ＭＭＲテーブル４２２（図３）を生成する機能を有している。処理の詳細については後述する。
【００３２】
ページ要求受付部４０３は、一般ユーザの操作する端末装置３のブラウザ３１からページ閲覧要求を受け付ける機能を有している。
【００３３】
ページ情報生成部４０４は、受け付けたページ閲覧要求に対応するページ情報を生成する機能を有している。生成するページには広告枠が含まれている。
【００３４】
広告コンテンツ決定部４０５は、ページ情報生成部４０４の生成したページ情報に基づいて広告ＤＢ４２１、ＭＭＲテーブル４２２およびユーザＤＢ４２３を参照し、条件が競合する広告コンテンツについてはオークションを行って配信する広告コンテンツを決定する機能を有している。
【００３５】
広告リンク埋込部４０６は、広告コンテンツ決定部４０５の決定した広告コンテンツへのリンクを、ページ情報生成部４０４が生成したページの広告枠に埋め込む機能を有している。リンクは、例えば、ページ情報／広告情報提供装置４のＵＲＬに広告ＩＤをパラメータとして付加したものとなっている。なお、リンクを埋め込むことに代え、広告コンテンツのデータそのものをページ内に埋め込むようにしてもよい。
【００３６】
ページ送信部４０７は、ページ情報を要求元の端末装置３のブラウザ３１に送信する機能を有している。
【００３７】
広告要求受付部４０８は、端末装置３のブラウザ３１によりページ情報から画面をレンダリングする過程で広告枠に埋め込まれたリンクに基づいて広告コンテンツ要求を受け付ける機能を有している。広告枠に広告コンテンツのデータそのものを埋め込む場合、広告コンテンツ要求は行われない。
【００３８】
広告送信部４０９は、広告要求受付部４０８が広告コンテンツ要求を受け付けた場合に、該当する広告コンテンツのデータを要求元の端末装置３のブラウザ３１に送信する機能を有している。
【００３９】
＜動作＞
図５は上記の実施形態の処理例を示すシーケンス図である。
【００４０】
図５において、広告主の操作する端末装置２のブラウザ２１からの要求に応じて広告の入稿があると（ステップＳ１０１）、ページ情報／広告情報提供装置４の広告入稿受付部４０１は広告ＤＢ４２１（図２）に所定の項目を登録する（ステップＳ１０２）。すなわち、現在日時を受付日時として登録するとともに、ユニークな広告ＩＤを発行し、入稿に際して行われたログイン情報等に基づいて広告主ＩＤを登録し、広告主の入力内容に従って配信面ＩＤ、入札額、予算額、配信タイプ、ターゲティング設定内容、コンテンツデータを登録する。
【００４１】
その後、ＭＭＲテーブル生成部４０２は、定期的もしくはオペレータの指示に従って動作し、広告ＤＢ４２１から入札に関するデータを参照し、ＭＭＲテーブル４２２（図３）を生成する（ステップＳ１０３）。処理の詳細については後述する。
【００４２】
次いで、予め組み合わせＭＭＲを算出する場合、ＭＭＲテーブル生成部４０２は、広告ＤＢ４２１とＭＭＲテーブル４２２を参照し、組み合わせＭＭＲを算出し、ＭＭＲテーブル４２２の一部として、もしくは、広告データに対応付けて、登録する（ステップＳ１０４）。処理の詳細については後述する。
【００４３】
その後、一般ユーザの操作する端末装置３のブラウザ３１からページ閲覧要求が行われ、ページ情報／広告情報提供装置４のページ要求受付部４０３がそのページ閲覧要求を受け付けると（ステップＳ１０５）、ページ情報生成部４０４は、受け付けたページ閲覧要求に対応するページ情報を生成する（ステップＳ１０６）。
【００４４】
次いで、広告決定時に組み合わせＭＭＲを算出する場合、ＭＭＲテーブル生成部４０２は、広告ＤＢ４２１とＭＭＲテーブル４２２を参照し、組み合わせＭＭＲを算出し、算出結果を残す場合にはＭＭＲテーブル４２２の一部として、もしくは、広告データに対応付けて、登録する（ステップＳ１０７）。処理の詳細については後述する。
【００４５】
次いで、広告コンテンツ決定部４０５は、ページ情報生成部４０４の生成したページ情報に基づいて広告ＤＢ４２１、ＭＭＲテーブル４２２およびユーザＤＢ４２３を参照し、条件が競合する広告コンテンツについてはオークションを行って配信する広告コンテンツを決定する（ステップＳ１０８）。
【００４６】
すなわち、広告コンテンツ決定部４０５は、ページ情報生成部４０４の生成したページに対応する配信面ＩＤに基づいて、広告ＤＢ４２１（図２）から、課金額累計が予算額に達しておらず、ＭＭＲテーブル４２２の該当するターゲティング要素もしくはその組み合わせに対する最低配信価格（MMR）、広告データに対応付けられた最低配信価格（MMR）、または直前に算出した最低配信価格（MMR）を入札額が下回らない広告コンテンツを抽出する。そして、配信タイプおよびターゲティング設定内容に基づき、検索結果ページである場合にページ要求受付部４０３が受け付けた検索キーワードや、ページ情報生成部４０４が生成したページ情報に含まれる語句や、ページ要求受付部４０３が認識したユーザＩＤに基づいてユーザＤＢ４２３から取得した属性等に基づき、配信候補となる広告コンテンツに絞り込み、競合する場合にオークションにより最高の入札額となる広告コンテンツに決定する。この際、課金額としてはセカンドプライスオークションにより２番目に高い入札額を課金額として広告ＤＢ４２１に登録する。
【００４７】
次いで、広告リンク埋込部４０６は、広告コンテンツ決定部４０５の決定した広告コンテンツへのリンクを、ページ情報生成部４０４が生成したページの広告枠に埋め込む（ステップＳ１０９）。
【００４８】
次いで、ページ送信部４０７は、ページ情報を要求元の端末装置３のブラウザ３１に送信する（ステップＳ１１０）。
【００４９】
これを受け、端末装置３のブラウザ３１は、ページ情報に基づいてレンダリングを行って画面の表示を行ない（ステップＳ１１１）、その過程で広告枠に埋め込まれたリンクに基づいて広告コンテンツ要求を行なう（ステップＳ１１２）。
【００５０】
この広告コンテンツ要求をページ情報／広告情報提供装置４の広告要求受付部４０８が受け付けると、広告要求受付部４０８は、該当する広告コンテンツのデータを要求元の端末装置３のブラウザ３１に送信する（ステップＳ１１３）。なお、ページを表示して、広告枠から広告リクエストのリダイレクトを広告配信サーバが受け取って配信する形態としてもよい。
【００５１】
なお、課金の仕組は省略してあるが、所定の期間（例えば、１箇月を単位）に広告主に対して広告料の請求等が行われる。
【００５２】
図６はＭＭＲテーブル生成（図５のステップＳ１０３）の処理例を示すフローチャートである。
【００５３】
図６において、処理を開始すると、配信タイプ毎に基礎価格（floor price）を算出し、ＭＭＲテーブル４２２に設定する（ステップＳ２０１）。図７は入札額の分布の例を示す図であり、Ｎはターゲティングを行わなかった場合の入札額と入札数の関係、Ｔは例えば「女性」をターゲティング要素にしてターゲティングを行った場合の入札額と入札数の関係を示している。ここで、基礎価格（floor price）はターゲティングを行わなかった場合の曲線Ｎの最頻値ＰＮに相当する。最頻値ＰＮは、例えば、分布の曲線を数式で近似し、最大値を得るための入札額の解として取得することができる。
【００５４】
図６に戻り、配信タイプ毎、ターゲティング要素毎に、最低配信価格指標（ＭＭＲindex）を図示の式により算出し、ＭＭＲテーブル４２２に設定する（ステップＳ２０２）。ここで、ｔｋとtargetingkは所定のターゲティング要素を示し、accountiは広告主を示し、sourcejは配信面を示し、revenueは課金額を示し、bidは入札額を示している。nontargetingはターゲティングが行われないことを示している。この式の意味するところは、所定のターゲティング要素について、複数（多数）の広告主および配信面の入札データに基づき、ターゲティングを行わない場合の入札額に対するターゲティングを行った場合の入札額の倍率を課金額で正規化したものである。課金額で正規化するのは、ハズレ値に引っ張られないようにして最低配信価格指標の精度を高めるためである。一般的に、課金額の累積である売上規模の大きいアカウントの方が厳密に運用をしているものであるため、売上規模の大小でウエイトを変えることにより、最低配信価格指標の精度を高めることができる。
【００５５】
また、入札してくる広告主の規模（大手クライアントと零細個人商店等）により入札額は変わってくるが、その場合についても、上記の標準化により、入札額の違いを吸収することができる。例えば、
大手クライアント  「男性」ターゲティング：１００円    ノンターゲティング５０円
零細個人商店      「男性」ターゲティング：  ５０円    ノンターゲティング１０円
の場合、零細個人商店は「男性」ターゲティングに５倍の価値を見出しているが、大手クライアントは２倍となっている。しかし、金額的には大手クライアントのほうが大きい。上記の標準化により、課金額の大きい大手クライアントの入札額のウエイトが大きくなり、大手クライアントの入札傾向が最低配信価格指標に強めに表われることとなる。
【００５６】
次いで、配信タイプ毎、ターゲティング要素毎に、基礎価格（floor price）に最低配信価格指標（ＭＭＲindex）を乗算して最低配信価格（MMR）を算出し、ＭＭＲテーブル４２２に設定する（ステップＳ２０３）。
【００５７】
次いで、配信タイプ毎、ターゲティング要素毎に、最低配信価格（MMR）から基礎価格（floor price）を減算して付加価格（additional）を算出し、ＭＭＲテーブル４２２に設定する（ステップＳ２０４）。
【００５８】
なお、精度的には低下するものの、最低配信価格（MMR）の簡易な算出手法として、最低配信価格指標（ＭＭＲindex）を用いずに、図７に示したような入札額の分布から算出することもできる。例えば、先ず、ターゲティングを行わなかった場合の曲線Ｎの最頻値ＰＮ（基礎価格（floor price）に相当）と、ターゲティングを行った場合の曲線Ｔの最頻値ＰＴとを求める。最頻値ＰＮ、ＰＴは、例えば、それぞれの分布の曲線を数式で近似し、最大値を得るための入札額の解として取得することができる。そして、最頻値ＰＴと最頻値ＰＮの差を付加価格（additional）とし、基礎価格（floor price）に付加価格（additional）を加算することで、最低配信価格（MMR）を算出することができる。
【００５９】
図８は組み合わせＭＭＲ算出（図５のステップＳ１０４、Ｓ１０７）の処理例を示すフローチャートである。
【００６０】
図８において、処理を開始すると、ＭＭＲテーブル４２２から該当する配信タイプにつき、組み合わせにかかるターゲティング要素の基礎価格（floor price）と付加価格（additional）を取得する（ステップＳ３０１）。
【００６１】
次いで、共通の基礎価格（floor price）に、各ターゲティング要素の付加価格（additional）を加算して組み合わせの最低配信価格（MMR）を算出する（ステップＳ３０２）。
【００６２】
そして、算出した最低配信価格（MMR）をＭＭＲテーブル４２２に追加するか、広告ＤＢ４２１の該当する広告データに設定する（ステップＳ３０３）。なお、その都度算出する場合には保存しなくてもよい。
【００６３】
図９は組み合わせＭＭＲ算出の例を示す図である。左上は、配信タイプ（deliver_type）が「kw_match」、ターゲティング要素（gen_targeting）が「male」の場合に基礎価格（floor price）が「\7」、付加価格（additional）が「\4」であることを示している。右上は、配信タイプ（deliver_type）が「kw_match」、ターゲティング要素（gen_targeting）が「RANGE15_17」の場合に基礎価格（floor price）が「\7」、付加価格（additional）が「\14」であることを示している。
【００６４】
ここで、下の配信タイプ（deliver_type）が「kw_match」、ターゲティング要素（gen_targeting）が「male」と「RANGE15_17」の組み合わせの場合、共通の基礎価格（floor price）である「\7」に、個々の対応するターゲティング要素の場合の付加価格（additional）である「\4」と「\14」を加算することで、組み合わせの最低配信価格（組み合わせＭＭＲ）を算出することができる。
【００６５】
＜総括＞
以上説明したように、本実施形態によれば、ターゲティング機能利用の価値を適切に評価し、全体的な入札価格傾向から逸脱した入札額の広告コンテンツの配信を制限し、課金額を適正化することができる。
【００６６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００６７】
１              ネットワーク
２、３          端末装置
２１、３１      ブラウザ
４              ページ情報／広告情報提供装置
４０１          広告入稿受付部
４０２          ＭＭＲテーブル生成部
４０３          ページ要求受付部
４０４          ページ情報生成部
４０５          広告コンテンツ決定部
４０６          広告リンク埋込部
４０７          ページ送信部
４０８          広告要求受付部
４０９          広告送信部
４２１          広告ＤＢ
４２２          ＭＭＲテーブル
４２３          ユーザＤＢ
【図１】
0005638647.tif 000002
【図２】
0005638647.tif 000003
【図３】
0005638647.tif 000004
【図４】
0005638647.tif 000005
【図５】
0005638647.tif 000006
【図６】
0005638647.tif 000007
【図７】
0005638647.tif 000008
【図８】
0005638647.tif 000009
【図９】
0005638647.tif 000010